(57)【要約】【課題】  墓前に固定的に設置できる墓石用リンを提供する。【解決手段】  ステンレス鋼製碗状で下方部分に水抜き孔１１を設けたリン体部（リン体１）と、リン体部下方に位置する台部（台体２）と、上下に配置されたリン体部を墓標前の石台座や石製供物台（設置箇所Ａ）に中空支持するための連結部（連結体３）とを備えてなり、連結部を墓標前の石台座や石製供物台などの設置箇所Ａに穿った設置穴Ｂに差し入れ、必要に応じてモルタルＣなど固定することで、墓標前に響鳴可能なリンを設置できる。【選択図】  図３
0003102997.tif 000002
【実用新案登録請求の範囲】
【請求項１】
ステンレス鋼製碗状で下方部分に水抜き孔を設けたリン体部と、リン体部下方に突設して、リン体部を墓標前の石台座や石製供物台に中空支持する連結部とを備えてなることを特徴とする墓石用リン。
【請求項２】
ステンレス鋼製碗状で下方部分に水抜き孔を設けたリン体部と、リン体部下方に位置する台部と、リン体部を墓標前の石台座や石製供物台に中空支持するために台部下縁より下方に突出する連結部とを備えてなることを特徴とする墓石用リン。
【請求項３】
連結部の下端が拡張部分となった棒状に形成してなる請求項１又は２記載の墓石用リン。
【請求項４】
リン体部を碗状体の独立部材のリン体に形成し、台部が上面板を備えた台体に形成すると共に、前記リン体の底面及び台体の上面板の各々の中心に装着透孔を設け、連結部を棒状の連結体とし、連結体の上方部分にボルトナット螺合構造を採用し、リン体及び台体の装着透孔を貫通するボルト体でリン体及び台体を固定してなる請求項２又は３記載の墓石用リン。
【請求項５】
連結体としてボルト棒を採用し、リン体内底面に突出した連結体先端に、ナット体を螺合してなる請求項４記載の墓石用リン。
【請求項６】
連結体の上部にナット部を設け、リン体内底面上方から前記ナット部に螺合するボルト体を装着してなる請求項４記載の墓石用リン。
【考案の詳細な説明】
【技術分野】
【０００１】
本考案は、墓標前の石台座や石製供物台に固定設置する墓石用リンに関するものである。
【背景技術】
【０００２】
リンは金属製の碗体で、リン座（鈴布団）に載置して仏壇前に設置されている。特に鈴布団を採用しない例として、台座を設けることが提案されている（特許文献１）。
【０００３】
【特許文献１】登録実用新案第３０５４６０７号公報。
【考案の開示】
【考案が解決しようとする課題】
【０００４】
ところで、リンは読経に合わせて打撃して金音を鳴らすものであるが、墓前においての読経に際しては、持手の上部にリンを固定した器具を携帯して使用している。
【０００５】
そこで本考案は、携帯の不便さを解消した墓前に固定的に設置できる新規な墓石用リンを提案したものである。
【課題を解決するための手段】
【０００６】
本考案に係る墓石用リンは、ステンレス鋼製碗状で下方部分に水抜き孔を設けたリン体部と、リン体部下方に突設して、リン体部を墓標前の石台座や石製供物台に中空支持する連結部とを備え、又は前記リン体部と連結部と、リン体部下方に位置する台部とを備えてなることを特徴とするものである。
【０００７】
従って連結部を墓標前の石台座や石製供物台に穿った設置穴に差し入れ、必要に応じてモルタルなどで固定することで、墓標前に響鳴可能に中空支持としたリンを設置できることになり、ステンレス製のため風雨に耐え得るし、また水も溜まらないので、屋外設置としても何らの支障も生じない。
【０００８】
また本考案（請求項３）は、前記リンにおいて、連結部の固定用下方突出部を下端が拡張部分となった棒状に形成してなるもので、設置穴への埋設に際して拡張部分が抜け止めとなる。
【０００９】
また本考案（請求項４）は、リン体部を碗状体の独立部材のリン体に形成し、台部が上面板を備えた台体に形成すると共に、前記リン体の底面及び台体の上面板の各々の中心に装着透孔を設け、連結部を棒状の連結体とし、連結体の上方部分にボルトナット螺合構造を採用し、リン体及び台体の装着透孔を貫通するボルト体でリン体及び台体を固定してなるものであるから、連結体を設置穴に埋設固定した後に台体及びリン体を組み立てることができる。
【考案の効果】
【００１０】
以上の構成を採用した墓石用リンは、墓前設置（墓標前の石台座や石製供物台への設置）がなされることで、墓前での読経においてもリンを使用することができ、リン携帯の不便さを解消したものである。
【００１１】
また連結部の下方構造の特定（請求項２）並びに各部材の独立構成（請求項３）によって、墓前へのリンの設置が確実且つ容易になったものである。
【考案を実施するための最良の形態】
【００１２】
次に本考案の実施形態について説明する。図１乃至３に示した実施形態の墓前用リンは、リン体１と、台体２と、連結体３と、ナット４で構成されているものである。尚前記の各部材はステンレス鋼で形成されているものである。
【００１３】
リン体１は、従前のリンと同様に厚さ４〜６ｍｍ程度の金属板で碗状に形成されており、下方部分に水抜き孔１１と、中心に装着透孔１２を穿設したもので、水抜き孔１１は後述する台体２の上面部２１から外れる位置に設けてなり、装着透孔１２は、後述する連結体３の先端ボルト部３２と対応する径としたものである。
【００１４】
台体２は、上面部２１と周面部２２とで構成される伏せ碗形状で、上面部２１の中心に装着透孔２３を穿設してなる。
【００１５】
連結体３は、ボルトを上下逆にした形状で、下方部に拡張部３１を備え、上部はネジを刻設したボルト部３２としたものである。尚連結体３の長さは、後述する墓前設置に対応する長さとするものである。
【００１６】
而して前記墓前用リンは、墓標前の石台座や石製供物台など設置箇所Ａに設置穴Ｂを穿設し、連結体３の下方部分を当該設置穴ＢにモルタルＣ等の充填材と共に差し入れ、連結体３を直立状態で固定する。
【００１７】
次に台体２を連結体３に被冠し、装着透孔２３からボルト部３２を突出させて設置箇所Ａ上に載置する。
【００１８】
更にリン体１を台体２の上面部２１上に載置すると共に、装着透孔１２からボルト部３２を突出させ、突出部分にナット４を螺合緊締すると、台体２がリン体１を介して設置箇所Ａに強く押し付けられて、全体が一体化するものである。
【００１９】
従って、墓前においては、連結体３を直立に固定することで墓前用リンの設置が容易になされ、墓前読経におけるリンの使用が実現するものである。
【００２０】
また本考案は、前記実施形態に限定されるものではなく、例えば図４、５に例示するとおり、連結体３ａのネジ螺合構造を前記実施形態と逆にしても良い。
【００２１】
即ち連結体３ａの上部にはナット部３３を設け、連結体３ａを墓前の所定箇所に埋設直立させた後、前記実施形態と同様に台体２及びリン体１をナット部３３上に位置させ、ネジ体５を、装着透孔１２，２３を通してナット部３３に螺合緊締することで、全体を一体化できる。
【００２２】
特にネジ体５にはパッキン５１を使用することで、台体２内部への雨水の侵入が防止できるし、リン体１の内底部分にはネジ体５の頭部が露出するに過ぎないので、ナット体４を使用した前記実施形態よりも見栄えが良い。
【００２３】
もちろん本考案は、前記実施形態並びに変形例の独立部材の組み合わせに限定されるものではなく、例えば台体を独立部材とせずに、リン体下方に垂設してリン体の一部として構成するようにしても良い。また連結部も前記した連結体に限定されず、台部に付設する構成でも良い。
【００２４】
更に本考案は、図６に例示するとおり、碗状のリン体部１ｂの下方に直接連結部３ｂを溶接したものでも良いし、また台部（台体）を省略しても良い。また設置箇所Ａに前記連結部３ｂが挿入される設置穴Ｂ１を設けて、連結部（連結体）３ｂを差し入れてリンの設置を行うようにしても良い。
【図面の簡単な説明】
【００２５】
【図１】本考案の実施形態の分解斜視図。
【図２】同連結体の埋設説明図。
【図３】同組み立て断面図。
【図４】同連結体の別例説明図。
【図５】同別例の組み立て断面図。
【図６】同別の実施形態の説明図。
【符号の説明】
【００２６】
１          リン体
１ｂ        リン体部
１１        水抜き孔
１２        装着透孔
２          台体
２１        上面部
２２        周面部
２３        装着透孔
３，３ａ    連結体
３ｂ        連結部
３１        拡張部
３２        ボルト部
３３        ナット部
４          ナット体
５          ネジ体
５１        パッキン
【図１】
0003102997.tif 000003
【図２】
0003102997.tif 000004
【図３】
0003102997.tif 000005
【図４】
0003102997.tif 000006
【図５】
0003102997.tif 000007
【図６】
0003102997.tif 000008